(57)【特許請求の範囲】
【請求項１】
筐体本体と、該筐体本体に開閉自在に連結された扉と、扉に連結され筐体本体に向けて延びるシャフトと、筐体本体に取り付けられ、前記シャフトの筐体本体側端部を係止する溝を複数の位置に形成した金具とを有する筐体の扉係止構造において、前記金具を、断面コ字状に形成し、該コ字の一方の脚部に前記溝を形成するとともに、他方の脚部を該溝内に係止される前記シャフトの端部の先端の受け面に構成し、かつ、該他方の脚部が筐体本体の壁内に埋設し実質的に前記筐体本体の壁面上に突出させないように構成したことを特徴とする筐体の扉係止構造。
【請求項２】
前記筐体が自動販売機である、請求項１の筐体の係止構造。
【請求項３】
前記金具の取付部位が、前記自動販売機本体の底壁部である、請求項２の筐体の扉係止構造。
【発明の詳細な説明】
【０００１】
【発明の属する技術分野】
本発明は、筐体の扉係止機構に関し、とくに自動販売機の扉係止機構に用いて好適な扉係止機構に関する。
【０００２】
【従来の技術】
扉を有する各種筐体、たとえば自動販売機においては、その扉の開状態を段階的に保持する機構が設けられることが多い。たとえば図３に示すように、自動販売機本体１０１に扉１０２が開閉自在に連結されており、扉１０２にシャフト１０３の一端が回動自在に支持されている。自動販売機本体１０１の、たとえば底壁１０４上には、複数の位置に溝１０５が形成された金具１０６が取り付けられており、シャフト１０３の他端がいずれかの溝１０５内に係止されることにより、該溝１０５の位置に対応した扉１０２の開度に保持できるようになっている。
【０００３】
金具１０６は、たとえば図４に示すように、底壁１０４上面に保護板１０７を取り付け、その上に取り付けられる。保護板１０７は、図４に示すように、金具１０６内に挿入されたシャフト１０３の端部の先端を受ける受け面として機能し、該先端が直接底壁１０４の上面に当たる場合に生じるおそれのある、底壁１０４の塗装の剥れや底壁１０４の傷つきを防止している。
【０００４】
また、金具１０６は、通常、底壁１０４上の比較的入口に近い部位に取り付けられるが、この部分の奥部には、図３に示すように電装品箱１０８やドレン皿、その他の各種部品が設けられることが多い。
【０００５】
【発明が解決しようとする課題】
しかし、上記のような従来機構においては、金具１０６が底壁１０４の上面上に突出する構造となっているため、電装品箱１０８やドレン皿をメンテナンスするためにそれらを引き出す際に、金具１０６が邪魔になり、メンテナンス性が悪いという問題がある。
【０００６】
また、図４に示したように、係止機構部が金具１０６と保護板１０７との２部品から構成されているので、部品点数が多い分組付作業性に劣るという問題もあある。
【０００７】
本発明の課題は、このような問題点に着目し、内装されている各種部品のメンテナンス性を向上するとともに、部品点数を削減して組付作業性、さらにはコスト低減が可能な、自動販売機等の筐体の扉係止機構を提供することにある。
【０００８】
【課題を解決するための手段】
上記課題を解決するために、本発明の筐体の扉係止機構は、筐体本体と、該筐体本体に開閉自在に連結された扉と、扉に連結され筐体本体に向けて延びるシャフトと、筐体本体に取り付けられ、前記シャフトの筐体本体側端部を係止する溝を複数の位置に形成した金具とを有する筐体の扉係止構造において、前記金具を、断面コ字状に形成し、該コ字の一方の脚部に前記溝を形成するとともに、他方の脚部を該溝内に係止される前記シャフトの端部の先端の受け面に構成し、かつ、該他方の脚部が筐体本体の壁内に埋設し実質的に前記筐体本体の壁面上に突出させないように構成したことを特徴とするものからなる。
【００１０】
このような扉係止機構は、自動販売機に好適に適用でき、上記金具は、たとえば自動販売機本体の底壁部に取り付けられる。
【００１１】
このような本発明に係る筐体の扉係止機構においては、金具の他方の脚部が筐体本体の壁内に埋設され、金具が筐体本体の壁面上に実質的に突出しないように構成されているので、金具取付部の奥部に各種部品が内装されている場合にも、該各種部品を金具と干渉させることなく容易に引き出すことが可能になり、これら部品のメンテナンスが容易化される。
【００１２】
また、金具を断面コ字状の部材に構成すれば、従来、金具と保護板との２部品で構成されていた係止機構部が、コ字状の金具の単部品で構成できる。つまり、コ字状の一方の脚部に係止用の溝を、他方の脚部に従来の保護板と同等の機能をもたせることができ、両機能を単部品にて満たすことができる。したがって、この部分の部品点数が１部品になり、部品点数を削減できる分、組付作業性の向上とコスト低減が可能になる。
【００１３】
【発明の実施の形態】
以下に、本発明の望ましい実施の形態について、図面を参照して説明する。
図１および図２は、本発明の一実施態様に係る筐体の扉係止機構を示しており、とくに本発明を自動販売機に適用した場合を示している。図１において、１は、筐体本体としての自動販売機本体、とくに自動販売機の外箱を示している。この自動販売機本体１には、開閉自在に扉２（外扉）が連結されている。自動販売機本体１の底壁３の上面側と扉２の内面側とにわたって、両端部４ａ、４ｂが鉤状に曲げられたシャフト４が延びている。シャフト４の一端部４ａは、扉２に回動自在に支持され、他端部４ｂは、底壁３に取り付けられた金具５の開口６内に挿入されている。
【００１４】
金具５は、図２に示すように、断面コ字状の部材に構成され、そのコ字状の一方の脚部（上側脚部）５ａに上記開口６が形成されている。この開口６は、図１に示すように、シャフト４の端部４ａを案内する案内部６ａと、複数の位置に形成され、シャフト４の端部４ｂを係止する溝６ｂとで構成されている。各溝６ｂにシャフト４の端部４ｂが係止されることにより、その係止位置に対応して、扉２の開度が段階的に保持されるようになっている。
【００１５】
金具５の他方の脚部５ｂは、図２に示すように、底壁３の内部へと延び、その上面が少なくとも上記開口６の案内部６ａと各溝６ｂとに対向できるようになっている。つまり、この脚部５ｂの上面は、開口６へと挿入されたシャフト４の端部４ｂの先端を受ける面として機能し、この面自身は傷がついてもよい面に構成されている。そして、金具５は、ビスやリベット等の接合手段７によって、その脚部５ａが、底壁３の上面に直接固定されている。したがって、金具５は、実質的に底壁３の上方には突出しない構造になっており、本実施態様では、僅かに脚部５ａの厚み分のみ底壁３の上面上に位置することになる。すなわち、金具５の大部分が底壁３内に埋設される構造となっている。
【００１６】
自動販売機本体１の金具５取付部の奥部側には、図１に示すように、たとえば電装品箱８やドレン皿（図示略）等の部品が配置されている。
【００１７】
このように構成された扉係止機構においては、シャフト４の端部４ｂが金具５の開口６の案内部６ａに挿入され、扉２が保持したい開度まで開かれたとき、シャフト４の端部４ｂがその開度に対応する位置の溝６ｂ内に入り、該溝６ｂに係止されて扉２がその開度に保持される。このとき、シャフト４の端部４ｂの先端（下端）は、金具５の下部側脚部５ｂに受けられ、その上面を摺接することになる。シャフト４の端部４ｂは、底壁３には当接しないので、底壁３が傷つけられたりすることはない。したがって、金具５の脚部５ｂは、従来の保護板と同等の機能を果たす。
【００１８】
金具５は、底壁３の上面側には実質的に突出しないので、その奥部に配置されている電装品箱８やドレン皿等を引き出す際にも、それら部品は金具５と干渉したり、金具５に引っ掛ったりすることなく容易に引き出される。したがって、これら部品のメンテナンスを極めて容易に行うことができる。
【００１９】
また、上記の如く、金具５自身で、シャフト端部４ｂの係止と、シャフト端部４ｂの先端を受けることによる底壁３に対する保護との、両方の機能を果たしているので、単部品にて、従来の金具と保護板の２部品の機能の両方を満たすことができる。したがって、従来の２部品構成を単部品とすることができ、部品点数を削減して、組付作業性の向上とコスト低減を可能にする。
【００２０】
なお、上記実施態様は自動販売機について説明したが、本発明は、同様の筐体の扉係止機構を有するものであれば、分野を限定することなく適用することができる。
【００２１】
【発明の効果】
以上説明したように、本発明の筐体の扉係止機構によれば、扉係止用の金具を実質的に筐体本体の壁面上に突出しないように構成したので、金具取付部の奥部に配置されている各種部品や各種機器を容易に引き出すことができ、それらのメンテナンス性を大幅に向上することができる。
【００２２】
また、金具をコ字状断面の部材から構成し、一方の脚部を筐体本体壁内に埋設しておけば、金具単部品にてシャフトの係止機能と本体壁の保護機能との両方を満足することが可能となり、部品点数を削減して金具の取付作業性の向上、コスト低減を達成できる。
【図面の簡単な説明】
【図１】本発明の一実施態様に係る筐体の扉係止機構の概略斜視図である。
【図２】図１の機構の金具取付部の拡大縦断面図である。
【図３】従来の筐体の扉係止機構の概略斜視図である。
【図４】図３の機構の金具取付部の拡大縦断面図である。
【符号の説明】
１  筐体本体としての自動販売機本体
２  扉
３  底壁
４  シャフト
４ａ、４ｂ  シャフトの端部
５  金具
５ａ、５ｂ  コ字状の脚部
６  開口
６ａ  案内部
６ｂ  係止用の溝
７  接合手段
８  電装品箱
【図１】
0003821533.tif 000002
【図２】
0003821533.tif 000003
【図３】
0003821533.tif 000004
【図４】
0003821533.tif 000005